(57)【要約】【課題】利用者の多様な入出金取引形態に柔軟に対応する。【解決手段】紙葉類取扱装置は、略水平にセットされた紙幣の入金を受け付ける入金部と、略立位にセットされた紙幣の入金を受け付け、紙幣を略立位にセットして放出する入出金部と、紙幣を識別する識別部と、入出金部から入金され、識別部で受入可能紙幣と識別された紙幣を一時的に保管する一時保留部と、紙幣を収納する複数の収納部と、識別部を通過し、入出金部、一時保留部、及び複数の収納部に接続されて、紙幣を双方向に搬送する搬送路と、入金部と搬送路とを接続する副搬送路とを有する。【選択図】図６
2020035403.tif 000002
【特許請求の範囲】
【請求項１】
略水平にセットされた紙幣の入金を受け付ける入金部と、
略立位にセットされた紙幣の入金を受け付け、紙幣を略立位にセットして放出する入出金部と、
紙幣を識別する識別部と、
前記入出金部から入金され、前記識別部で受入可能紙幣と識別された紙幣を一時的に保管する一時保留部と、
紙幣を収納する複数の収納部と、
前記識別部を通過し、前記入出金部、前記一時保留部、及び前記複数の収納部に接続されて、紙幣を双方向に搬送する搬送路と、
前記入金部と前記搬送路とを接続する副搬送路と
を有することを特徴とする紙葉類取扱装置。
【請求項２】
前記搬送路と前記副搬送路の連結部は、前記識別部と前記一時保留部との間に位置する
ことを特徴とする請求項１に記載の紙葉類取扱装置。
【請求項３】
前記搬送路及び前記副搬送路を搬送される紙幣の搬送状態を検知する検知部
を有することを特徴とする請求項１又は２に記載の紙葉類取扱装置。
【請求項４】
前記副搬送路を搬送される紙幣の搬送状態を検知する前記検知部により搬送異常が検知された紙幣を、前記識別部による識別結果を待たずに、前記入出金部から放出する
ことを特徴とする請求項３に記載の紙葉類取扱装置。
【請求項５】
前記入金部及び前記入出金部は、利用者が前記入出金部から取り出した紙幣を前記入金部に再セット可能な、前記紙葉類取扱装置の前記利用者側の近傍位置に配置される
ことを特徴とする請求項３又は４に記載の紙葉類取扱装置。
【請求項６】
前記搬送路及び前記副搬送路における紙幣の搬送制御を行う制御部を有し、
前記制御部は、
前記入金部及び前記入出金部の何れかから入金された紙幣のうち、前記識別部で受付不可と識別されたリジェクト紙幣を、前記入金部及び前記入出金部の何れかから再入金可能に前記入出金部に放出し、
前記収納部から繰り出された紙幣を、前記識別部で識別した後に前記入出金部に放出する
ように前記搬送制御を行うことを特徴とする請求項３〜５の何れか１項に記載の紙葉類取扱装置。
【請求項７】
前記制御部は、
前記入金部及び前記入出金部の何れかから入金された紙幣のうち、前記識別部で受付不可と識別されたリジェクト紙幣を、前記入出金部に放出する前に前記複数の収納部のうちの１つの収納部に収納し、該１つの収納部から繰り出された紙幣が、前記識別部で再度識別された際に、受付不可のリジェクト紙幣と識別されると前記入出金部に放出し、受付可能の紙幣と識別されると前記一時保留部に搬送する
ことを特徴とする請求項６に記載の紙葉類取扱装置。
【請求項８】
前記紙葉類取扱装置を覆う金庫を有し、
前記金庫は、
前記副搬送路が貫通する穴と、
前記金庫の外部に配置された前記入金部と、
前記金庫の内部に配置された前記入出金部と
を有することを特徴とする請求項６又は７に記載の紙葉類取扱装置。
【請求項９】
前記入金部と前記副搬送路は、共に前記金庫からの着脱が可能であり、
前記入金部と前記副搬送路が共に前記金庫から取り外された状態でも、前記入出金部を用いて紙幣の入金及び放出を行うことを可能である
ことを特徴とする請求項８に記載の紙葉類取扱装置。
【請求項１０】
前記紙葉類取扱装置を収容する装置筐体は、前記入金部と前記入出金部を覆うシャッタを有する
ことを特徴とする請求項６〜９の何れか１項に記載の紙葉類取扱装置。
【請求項１１】
前記識別部で受付不可と判定されたリジェクト紙幣を収納するための第２の一時保留部を有する
ことを特徴とする請求項６〜１０の何れか１項に記載の紙葉類取扱装置。
【請求項１２】
前記複数の収納部のうちの何れか１つの収納部を、前記識別部で受付不可と判定されたリジェクト紙幣を収納するための第２の一時保留部とする
ことを特徴とする請求項６〜１１の何れか１項に記載の紙葉類取扱装置。
【請求項１３】
前記１つの収納部は、鉛直方向の上下に空間が区分されており、一方の空間が前記第２の一時保留部であり、他方の区間が前記識別部で出金に適さない非還流のリジェクト回収紙幣と識別された紙幣を回収する回収庫である
ことを特徴とする請求項１２に記載の紙葉類取扱装置。
【請求項１４】
前記制御部は、
前記入出金部から入金を受け付けた紙幣を、前記搬送路、前記識別部を経由して、前記一時保留部へと搬送した後、前記一時保留部から繰り出し、前記搬送路及び前記識別部を経由して、前記収納部へと搬送する第１の入金処理と、
前記入金部から入金を受け付けた紙幣を、前記副搬送路、前記搬送路、及び前記識別部を経由して、前記収納部へと搬送する第２の入金処理とを行う
ことを特徴とする請求項１１〜１３の何れか１項に記載の紙葉類取扱装置。
【請求項１５】
前記第２の入金処理の際、
前記識別部を通過する前に、前記検知部により受付不可と判定されたリジェクト紙幣を前記入出金部に放出する
ことを特徴とする請求項１４に記載の紙葉類取扱装置。
【請求項１６】
前記第２の入金処理の際、
前記識別部で受付不可と判定されたリジェクト紙幣を前記複数の収納部のうちの何れか１つの収納部に一旦収納した後、該１つの収納部から該リジェクト紙幣を繰り出し、前記入出金部に放出する
ことを特徴とする請求項１４又は１５に記載の紙葉類取扱装置。
【請求項１７】
前記識別部で受付不可と判定されたリジェクト紙幣を前記第２の一時保留部に一旦収納した後、前記第２の一時保留部から該リジェクト紙幣を繰り出し、前記入出金部に放出する
ことを特徴とする請求項１４又は１５に記載の紙葉類取扱装置。
【請求項１８】
前記入出金部に放出されたリジェクト紙幣が、前記入金部に再セットされた場合に、該リジェクト紙幣に対して前記第２の入金処理を行うことを特徴とする請求項１４〜１７の何れか１項に記載の紙葉類取扱装置。
【請求項１９】
紙幣を入金する際、利用者が、前記入出金部に紙幣をセットして行う前記第１の入金処理又は前記入金部に紙幣をセットして行う前記第２の入金処理の何れを行うかを事前に選択可能であることを特徴とする請求項１４〜１７の何れか１項に記載の紙葉類取扱装置。
【請求項２０】
所定数以上の紙幣を入金する大量入金取引のときは前記入金部を、前記所定数未満の紙幣を入金する少量入金取引のときは前記入出金部を使用して入金取引を行うことを特徴とする請求項１４〜１９の何れか１項に記載の紙葉類取扱装置。
【請求項２１】
第１の時間帯のときは前記入金部を、前記第１の時間帯とは異なる第２の時間帯のときは前記入出金部を使用して入金取引を行うことを特徴とする請求項１４〜２０の何れか１項に記載の紙葉類取扱装置。
【請求項２２】
前記入出金部を覆う第１のシャッタを有し、
前記入金部を覆う第２のシャッタと、
前記入出金部から入金を行う前記第１の入金処理の際には、前記第２のシャッタは閉じており、前記第１のシャッタは開いている状態であり、
前記入金部から入金を行う前記第２の入金処理の際には、前記第２のシャッタは開いており、前記第１のシャッタは閉じている状態である
ことを特徴とする請求項１４〜２１の何れか１項に記載の紙葉類取扱装置。
【請求項２３】
前記第２の入金処理の際、
前記検知部又は前記識別部で受付不可と判定されたリジェクト紙幣が検出された場合に、前記第１のシャッタを開けて、該リジェクト紙幣を前記入出金部に放出後、前記入金部から入金された該リジェクト紙幣に対して前記第２の入金処理を行う
ことを特徴とする請求項２２に記載の紙葉類取扱装置。
【請求項２４】
前記第１のシャッタを開ける際に、前記入出金部の一部が覆われた状態で半開きとなることを特徴とする請求項２３に記載の紙葉類取扱装置。
【請求項２５】
複数の入金部と、紙幣を収納する紙幣収納庫と、取引の案内表示と操作入力とを行う操作表示部とを有する現金自動取引装置であって、
前記複数の入金部は、
入出金が可能な第１の入金部と、
オープンホッパ型の第２の入金部とを含み、
予め定めた条件に基づいて前記第２の入金部の使用可否を切り替える制御部と
を有することを特徴とする現金自動取引装置。
【請求項２６】
前記制御部は、時間帯に応じて前記第２の入金部の使用可否を切り替えることを特徴とする請求項２５に記載の現金自動取引装置。
【請求項２７】
前記制御部は、前記現金自動取引装置の操作をサポートする係員の在／不在状況に応じて前記第２の入金部の使用可否を切り替えることを特徴とする請求項２５又は２６に記載の現金自動取引装置。
【請求項２８】
前記制御部は、前記現金自動取引装置が設置された店舗に勤務する従業員の勤務状況を管理する勤務管理装置からの情報に基づいて前記係員の在／不在状況を認識することを特徴とする請求項２７に記載の現金自動取引装置。
【請求項２９】
現金自動取引装置と受付端末とを有する現金自動取引システムであって、
前記現金自動取引装置は、
利用者が単独で操作可能な第１の入金部と、
利用者が係員の介在で操作する第２の入金部と、
紙幣を収納する紙幣収納庫と、
取引の案内表示と操作入力とを行う操作表示部とを有し、
前記受付端末は、
利用者が前記第１の入金部を使用する第１の取引と前記第２の入金部を使用する第２の取引との何れかを選択入力する受付画面を表示し、該利用者が前記第２の取引を選択入力した場合、前記係員に対してその旨を通知するとともに、前記現金自動取引装置に対して前記第２の入金部の使用を要求する第２取引要求コマンドを送信し、
前記現金自動取引装置は、
前記第２取引要求コマンドを受信した場合、前記係員の指示に基づいた前記第２の入金部の使用を許容する
ことを特徴とする現金自動取引システム。
【請求項３０】
前記第２の入金部の単独利用を許容された利用者であるか否かの情報を記憶する記憶装置をさらに有し、
前記受付端末は、
前記第２の入金部の単独利用を許容された利用者であるとの情報が前記記憶装置に記憶されている場合に、該利用者に対して前記受付画面を表示し、
前記現金自動取引装置は、
前記単独利用を許容された利用者に、前記第２の入金部の該利用者単独での使用を許容する
ことを特徴とする請求項２９に記載の現金自動取引システム。
【発明の詳細な説明】
【技術分野】
【０００１】
本発明は、紙葉類取扱装置に関し、例えば利用者の操作によって現金の入出金を自動的に行う現金自動取引装置（ＡＴＭ：Automatic  Teller  Machine）や現金自動支払機（ＣＤ：Cash  Dispenser）等に実装して使用される紙幣取扱装置に適用して好適なるものである。
【背景技術】
【０００２】
例えば現金自動取引装置で取り扱われる現金の多金種化及び大量化に伴い、可能な限りの大容量の紙幣を収納する収納部を実装した紙幣取扱装置が提唱されてきた。また、銀行等の窓口係員が、現金自動取引装置そのものを利用して、顧客からの預かり紙幣を入金部から投入して紙幣取扱装置に収納し、紙幣取扱装置から出金部に出金された紙幣を顧客へ受渡すことも常態化しつつある。こうした使用形態では、顧客からの預かり紙幣の枚数は多様で、例えば、店舗の売上金等を入金したい大口の利用者は千枚単位の大量紙幣を持ち込んでくるケースもある。
【０００３】
ここで特許文献１及び２には、複数の収納部を装置の下部に並べて配置し、その他の機構部を装置の上部に集約して配置した紙幣取扱装置が開示されている。
【０００４】
特許文献１に開示された紙幣取扱装置では、紙幣の入出金部と識別部と一時保留庫を装置の上部に配置し、装置の下部には縦長の装填庫と複数の収納部を装置の前後方向に配置し、これらの機構部を双方向搬送路で接続している。
【０００５】
また特許文献２に開示された紙幣取扱装置では、略水平で紙幣をセットする入金部を有し、入金部と出金部を除く紙幣識別部及び収納部を金庫の筐体内部に収容した上で、入金部から筐体内部への入金搬送と、収納部から筐体外部の出金部への出金搬送を行う。
【先行技術文献】
【特許文献】
【０００６】
【特許文献１】特開２０１１−１１３１６０号公報
【特許文献２】特開２０１６−０１２１８０号公報
【発明の概要】
【発明が解決しようとする課題】
【０００７】
しかしながら、特許文献１に開示された紙幣取扱装置では、入金部は、投入紙幣を立位の状態でセットするポケット方式を採用しており、入金部に投入できる紙幣の枚数が入金部の容量に制限される。そのため、例えば千枚単位の大量紙幣を入金したい大口利用者は、入金取引を数回に分けで実施しなければならず、入金取引時間が長くなってしまう。仮に、入金部の容量を増やしたとしても、利用者からすれば、入金部に大量の紙幣を立位状態で整列させてセットするわずらわしさが生じる。
【０００８】
また特許文献２に開示された紙幣取扱装置では、入金部は投入紙幣を水平状態でセットするオープンホッパ方式を採用しており、紙幣投入が容易である。また積み増し入金もできることから、入金取引操作性の向上及び入金取引時間の短縮が期待できる。しかしながら、特許文献２に開示の紙幣取扱装置では、利用者が取り忘れた紙幣を装置内に回収することが困難となる。また、特許文献２に開示の紙幣取扱装置の出金部には強固なシャッタが搭載されておらず、簡易シャッタを取り付けたとしても、出金部が金庫の筐体外部に位置した構造になっているため、金庫の筐体が破壊され、取り忘れ紙幣が抜き取られてしまうといったセキュリティ面の課題がある。以上より、特許文献２に開示の紙幣取扱装置を運用する際には、紙幣取扱装置の近くに係員が常時待機している必要があり、無人での運用（例えば２４時間運用等）は困難である。
【０００９】
本発明は、上述の課題に鑑み、利用者の多様な入出金取引形態に柔軟に対応することを目的とする。
【課題を解決するための手段】
【００１０】
かかる課題を解決するため本発明においては、紙葉類取扱装置は、略水平にセットされた紙幣の入金を受け付ける入金部と、略立位にセットされた紙幣の入金を受け付け、紙幣を略立位にセットして放出する入出金部と、紙幣を識別する識別部と、前記入出金部から入金され、前記識別部で受入可能紙幣と識別された紙幣を一時的に保管する一時保留部と、紙幣を収納する複数の収納部と、前記識別部を通過し、前記入出金部、前記一時保留部、及び前記複数の収納部に接続されて、紙幣を双方向に搬送する搬送路と、前記入金部と前記搬送路とを接続する副搬送路とを有することを特徴とする。
【発明の効果】
【００１１】
本発明によれば、利用者の多様な入出金取引形態に柔軟に対応することができる。
【図面の簡単な説明】
【００１２】
【図１】実施例１の現金自動取引装置の外観斜視図。
【図２】実施例１の現金自動取引装置を背面側から見た外観斜視図。
【図３】他の例の現金自動取引装置の外観斜視図。
【図４】他の例の現金自動取引装置を背面側から見た外観斜視図。
【図５】実施例１の現金自動取引装置の機能構成を示すブロック図。
【図６】実施例１の紙幣取扱装置の内部構成を示す図。
【図７】実施例１の紙幣取扱装置の入金部の構成を示す断面図。
【図８】実施例１の紙幣取扱装置の入出金部の構成を示す断面図。
【図９】実施例１の紙幣取扱装置の機能構成を示すブロック図。
【図１０】実施例１の紙幣取扱装置の入金部を利用した大量入金処理を示すフローチャート。
【図１１】実施例１の紙幣取扱装置の入金部を利用した直接入金動作の説明図。
【図１２】実施例１の紙幣取扱装置の入金部を利用した直接入金時のリジェクト紙幣即時返却動作の説明図。
【図１３】実施例１の紙幣取扱装置の入金部を利用した直接入金時のリジェクト紙幣収納動作の説明図。
【図１４】実施例１の紙幣取扱装置の入金部を利用した直接入金時のリジェクト紙幣返却動作の説明図。
【図１５】実施例１の現金自動取引装置の入出金部のシャッタの閉状態時のイメージ図。
【図１６】実施例１の現金自動取引装置の入出金部のシャッタの半開き状態時のイメージ図。
【図１７】実施例１の現金自動取引装置の入出金部のシャッタの開状態時のイメージ図。
【図１８】実施例１の現金自動取引装置の入金部のシャッタのみ開状態時の外観斜視図。
【図１９】実施例１の現金自動取引装置の大量入金時における入金部への紙幣投入時の外観斜視図。
【図２０】実施例１の現金自動取引装置の大量入金時における入金部への紙幣投入後の外観斜視図。
【図２１】実施例１の現金自動取引装置の大量入金時における搬送異常紙幣返却中の外観斜視図。
【図２２】実施例１の現金自動取引装置の大量入金時における搬送異常紙幣の入出金部からの抜き取り及び入金部への再投入時の外観斜視図。
【図２３】実施例１の現金自動取引装置の取引モード選択時における操作画面のイメージ図。
【図２４】実施例１の現金自動取引装置の大量入金時における入金紙幣セットを促すための操作画面のイメージ図。
【図２５】実施例１の現金自動取引装置の大量入金時における入金紙幣積み増しを示す操作画面のイメージ図。
【図２６】実施例１の現金自動取引装置の大量入金時におけるリジェクト返却紙幣の再セットを促すための操作画面のイメージ図。
【図２７】実施例１の紙幣取扱装置の入出金部を利用した通常入金処理を示すフローチャート。
【図２８】実施例１の紙幣取扱装置の入出金部を利用した入金計数動作の説明図。
【図２９】実施例１の紙幣取扱装置の入出金部を利用した入金収納処理動作の説明図。
【図３０】実施例１の現金自動取引装置の入金部及び入出金部のシャッタが全閉状態時の外観斜視図。
【図３１】実施例１の現金自動取引装置の通常入金時における入出金部への紙幣投入時の外観斜視図。
【図３２】実施例１の現金自動取引装置の通常入金時における入金紙幣セットを促すための操作画面のイメージ図。
【図３３】実施例１の紙幣取扱装置の入出金部を利用した出金処理動作の説明図。
【図３４】実施例１の紙幣取扱装置の入出金部を利用した出金時のリジェクト処理動作の説明図。
【図３５】実施例１の紙幣取扱装置の入出金部を利用した取忘れ紙幣回収処理動作の説明図。
【図３６】他の例の紙幣取扱装置の入出金部を利用した入金紙幣回収処理動作の説明図。
【図３７】実施例１の現金自動取引装置の運用形態を説明するための図。
【図３８】実施例２の２段式収納部を有する紙幣取扱装置の内部構成を示す図。
【図３９】実施例２の紙幣取扱装置の入金部を利用した直接入金動作の説明図。
【図４０】実施例２の紙幣取扱装置の入金部を利用した直接入金時のリジェクト紙幣収納動作の説明図。
【図４１】実施例２の紙幣取扱装置の入金部を利用した直接入金時のリジェクト紙幣返却動作の説明図。
【図４２】実施例２の紙幣取扱装置における入金収納処理動作の説明図。
【図４３】実施例３の巻き取り式一時保留部を有する紙幣取扱装置の内部構成を示す図。
【図４４】実施例３の紙幣取扱装置における入金部を利用した直接入金動作の説明図。
【図４５】実施例３の紙幣取扱装置における入金部を利用した直接入金時のリジェクト紙幣収納動作の説明図。
【図４６】実施例３の紙幣取扱装置における入金部を利用した直接入金時のリジェクト紙幣返却動作の説明図。
【図４７】実施例３の紙幣取扱装置における入金部を利用した入金収納処理動作の説明図。
【発明を実施するための形態】
【００１３】
以下、図面に基づいて本発明の実施例を詳述する。以下の実施例は、本発明を限定するものではない。また以下の実施例を説明するための各図面において同一の符号は同一或いは類似の機能を備えた構成要素又は処理を示し、後出の説明を省略する。また各実施例及び各変形例は、本発明の技術思想の範囲内かつ整合する範囲内で一部又は全部を組合せることができる。
【００１４】
以下の実施例では、現金自動取引装置の装置筐体の鉛直方向（上部方向、上方）をＺ軸の正方向、現金自動取引装置の装置筐体の利用者側（正面側、前方）から反対側（背面側、後方）に向かう方向をＹ軸の正方向、及び現金自動取引装置の利用者側に向かって左側から右側に向かう方向をＸ軸の正方向とする。そして、以下の実施例の説明では、Ｘ軸、Ｙ軸、及びＺ軸がそれぞれ直交する正系のＸＹＺ座標系を用いる。なお以下の実施例において“上”“下”“左”“右”“前”“後”“背”等で表す方向及び位置は相対的なものに過ぎず、またＸＹＺ座標系により現金自動取引装置や紙幣取扱装置、並びにその他の構成要素の向き、形状、又は大きさが限定されるものではない。
【００１５】
以下の実施例では、紙葉類取扱装置は、紙葉類として紙幣を取り扱う紙幣取扱装置を例として説明するが、これに限られず、小切手や商品券等の他の様々な紙葉類についても同様に取り扱うことができる。
【実施例１】
【００１６】
＜Ａ：現金自動取引装置の全体構成＞
図１は、実施例１の現金自動取引装置の外観斜視図である。図２は、実施例１の現金自動取引装置を背面側から見た外観斜視図である。
【００１７】
現金自動取引装置１０１は、キャッシュカードや紙幣、明細票等を取引媒体とし、利用者の操作によって現金の預け入れや支払い、振り込み等の処理を行う。現金自動取引装置１０１の上部には、利用者の通帳を処理し、取引明細を印字して放出する通帳処理機構１０６と、利用者のカードを処理し、取引明細票を印字して放出するカード及び明細票処理機構１０７が備えられる。
【００１８】
通帳処理機構１０６は、現金自動取引装置１０１の正面のスロット１０６ａから投入された利用者の通帳を処理し、取引明細を印字して放出する。カード及び明細票処理機構１０７は、現金自動取引装置１０１の正面のスロット１０７ａから投入された利用者のカードを処理し、取引明細票を印字して放出する。現金自動取引装置１０１の正面前方には、利用者の取引の内容を表示すると共に、取引のための種々の情報や項目を入力する画面操作部１０４が備えられる。現金自動取引装置１０１の正面の入金部１２０は、シャッタ１２０ａが開状態の場合、略水平にセットされた紙幣の入金を受け付ける入金取引が実行できる。
【００１９】
現金自動取引装置１０１の装置筐体内の下部において、右側には紙幣を処理する紙幣取扱装置１がセキュリティをするための強固な金庫１０００の内部に備えられ、紙幣取扱装置１の入金部１２０及び入出金部２０に設けられたシャッタ１２０ａ及びシャッタ２０ａの開閉に応じて紙幣の入出金取引が行なわれる。すなわち、現金自動取引装置１０１は、従来の現金自動取引装置と同様に少数の紙幣の入出金を行う入出金部２０に加え、大量の紙幣の入金が可能な入金部１２０を別途設けた構成となっている。
【００２０】
なお、現金自動取引装置１０１の入出金部２０にも開閉式のシャッタ２０ａが設けられている。後述のように紙幣取扱装置１の入出金部２０にはシャッタ２０ａとは異なる開閉式のシャッタ（上板２３）も別途設けられているため、入出金部２０は二重のシャッタ構造となっている。
【００２１】
現金自動取引装置１０１の下部左側には、硬貨を処理する硬貨処理装置１０５が備えられ、硬貨処理装置１０５の入出金部に設けたシャッタ１０５ａの開閉に応じて硬貨の入出金取引が行なわれる。なお、現金自動取引装置１０１において、硬貨処理装置１０５が省略されてもよい。
【００２２】
図２は、背面の扉１０２及び金庫１０００の扉１０００２が開状態、かつ紙幣取扱装置１からトレイ１１１４がレール１１０２及びレール１１１２によって引き出された状態を示す。トレイ１１１４には、現金自動取引装置１０１の背面側から前方に向かって、複数の収納部７０〜７４が一列に配置して着脱可能に搭載されている。
【００２３】
なお、紙幣取扱装置１は上述のように全体が強固な金庫１０００で覆われており、金庫１０００には金庫の扉１０００２が備えられ、紙幣取扱装置１の入出金部２０に紙幣を出し入れするのに必要最低限の大きさの開口部と、後述の副搬送路１０ｉが紙幣取扱装置１と接続するための、紙幣搬送に必要最低限の大きさの穴が設けられている。
【００２４】
（他の例の現金自動取引装置の全体構成）
図３は、他の例の現金自動取引装置の外観斜視図である。図４は、他の例の現金自動取引装置を背面側から見た外観斜視図である。現金自動取引装置の外観の他の例としては、図３に示すように現金自動取引装置１０１がある。図３及び図４に示すように、現金自動取引装置１０１の装置上部には画面操作部１０４、通帳処理機構１０６、スロット１０６ａ、カード及び明細票処理機構１０７、スロット１０７ａ、及び操作部１１９が備えられる。一方、現金自動取引装置１０１の装置筐体内の下部には紙幣取扱装置１が搭載され、紙幣取扱装置１の入金部１２０及び入出金部２０に設けられたシャッタ１２０ａ及びシャッタ２０ａの開閉に応じて紙幣の入出金取引が行なわれる。
【００２５】
ここで、図３に示すように、操作部１１９を現金自動取引装置１０１の上部前面の背面側にやや奥まった位置に配置することで、セキュリティを確保している。図４は、現金自動取引装置１０１の背面の扉１１２及び金庫１０００の扉１０００２が開状態、紙幣取扱装置１からトレイ１１１４がレール１１０２及びレール１１１２によって引き出された状態を示し、トレイ１１１４には、収納部７０〜７４が一列に配置して着脱可能に搭載されている。
【００２６】
（実施例１の現金自動取引装置の機能構成）
図５は、実施例１の現金自動取引装置の機能構成を示すブロック図である。図５に示すように、現金自動取引装置１０１は、現金自動取引装置１０１の装置内に搭載されている通信処理部１２０２によって、専用線網又は閉域網等のネットワーク１２０４を介してサーバ１２０３と接続される構成となっている。他にも現金自動取引装置１０１の装置内には、現金自動取引装置１０１全体の動作制御を司るマイクロプロセッサ等の制御部１２０１が搭載され、制御部１２０１から、紙幣取扱装置１、画面操作部１０４、硬貨処理装置１０５、通帳処理機構１０６、及びカード及び明細票処理機構１０７に向けて制御信号が送られ、各種装置及び各種機構を制御する。
【００２７】
＜Ｂ：現金自動取引装置の内部構成＞
図６は、実施例１の紙幣取扱装置の内部構成を示す図である。紙幣取扱装置１の上部には、取引される紙幣の処理機構が配置され、下部には紙幣の収納機構が配置される。紙幣取扱装置１の金庫１０００の筐体内部の上部において、その前側（利用者に面する側：図６の上部右側）には、利用者により略立位にセットされた紙幣の入金を受け付け、略立位にセットして紙幣を放出して利用者に取り出しを行わせるポケット型の入出金部２０が配置される。また、中央部に紙幣の判別を行う識別部３０が配置され、後側（図６の上部左側）には利用者が入金した紙幣を取引成立までの間、一旦収納する一時保留部４０が配置される。これらの各機構部は双方向の搬送路１０ａ、３０ａ、１０ｄ、１０ｅ、１０ｆにより接続される。
【００２８】
さらに、金庫１０００の筐体外部の上部で、かつ、入出金部２０の近傍に配置され、かつ、利用者が入出金部２０へ紙幣を投入するのと同様に紙幣の投入を行ったり、入出金部２０から取り出された紙幣をスムーズに積み増ししたりできる位置に、利用者が紙幣の投入を行う入金部１２０が配置される。入金部１２０は、オープンホッパ型の入金専用の入金部であり、金庫１０００の筐体外部に配置された副搬送路１０ｉを経由し、さらに金庫１０００の筐体に開いた（紙幣を搬送するのに必要十分な大きさの）穴を経由して、金庫１０００の筐体内部の識別部３０と一時保留部４０との間で、振分ゲート１４を介して搬送路１０ｅに接続される。
【００２９】
副搬送路１０ｉが振分ゲート１４を介して搬送路１０ｅに接続されることで、入出金部２０へ投入された紙幣を、搬送路５０ａ、３０ａ、１０ｄ〜１０ｇを含んだ、入出金部２０を介して入出金される紙幣を搬送する従来同様の搬送ルートで搬送することができる。
【００３０】
ここで、識別部３０は前方から後方へ搬送される紙幣及び後方から前方へ搬送される紙幣のどちらであっても金種判別及び真偽判別を行うことができる。つまり、識別部３０は、双方向に搬送される紙幣を金種判別及び真偽判別でき、紙幣を受入可か否かを判別することができる。入出金部２０は、上から投入された紙幣を下方へ繰出す紙幣繰出部２０ｂと、下方から搬送されてきた出金用又は返却用の紙幣を集積する紙幣集積部２０ｃが、前後に配置されている。
【００３１】
紙幣取扱装置１の下部において、前方から背面に向かって、紙幣を金種別に収納する収納部７１〜７４、７０が、トレイ１１１４に搭載されて配置されている。ここで、本実施例では、入金部１２０から入金取引をした際に識別部３０で受入不可と判定されたリジェクト紙幣を一旦収納するための搬送先が収納部７０であり、入金取引や出金取引に適さない紙幣を収納するための搬送先が収納部７４である。すなわち、紙幣取扱装置１の背面側において上から、一時保留部４０、収納部７０が配置されることになる。なお、各機構部の駆動、例えば、搬送路のローラの駆動、搬送路の振分ゲートの切り替え等は、紙幣取扱装置１が有する制御部１７０（図９参照）により駆動制御される。
【００３２】
搬送路１０ａ、１０ｄ〜１０ｇ、３０ａ、４０ａ、５０ａ、５０ｂ、７０ａ〜７４ａ等は双方向の搬送路を形成し、搬送路１０ｂ、１０ｃ、１０ｉ、１０ｈは片方向の搬送路を形成し、図６に示す矢印の方向は紙幣を搬送する方向を示す。特に、片方向の搬送路１０ｉを副搬送路１０ｉということにする。入出金部２０は搬送路１０ｂに接続され、一時保留部４０は搬送路４０ａに接続され、収納部７０〜７４はそれぞれ搬送路７０ａ〜７４ａに接続され、入金部１２０は副搬送路１０ｉに接続される。収納部７０は、振分ゲート５４により切り替えられて搬送路５０ｂに接続される。搬送路４０ａは、搬送路１０ｆと搬送路１０ｇの間に位置する振分ゲート１５を介して搬送路１０ｆと搬送路１０ｇの間に接続される。副搬送路１０ｉは、搬送路１０ｅと搬送路１０ｆの間に位置する振分ゲート１４を介して搬送路１０ｅと搬送路１０ｆの間に接続される。
【００３３】
ループ状の双方向の搬送路を形成する搬送路１０ａ、３０ａ、１０ｄ〜１０ｇ、５０ａは、反時計回りの矢印方向（図６の左回転方向）に紙幣を搬送する第１の搬送方向と、時計回りの矢印方向（図６の右回転方向）に紙幣を搬送する第２の搬送方向がある。
【００３４】
また、双方向の搬送路である搬送路５０ｂは、振分ゲート１６から収納部７４、収納部７０に向け紙幣を搬送する第１の搬送方向と、収納部７４、収納部７０から振分ゲート１６に向け紙幣を搬送する第２の搬送方向がある。
【００３５】
また、片方向の搬送路について、搬送路１０ｂの搬送方向は紙幣繰出部２０ｂから振分ゲート１１に向かう方向であり、搬送路１０ｃの搬送方向は振分ゲート１３から紙幣集積部２０ｃに向かう方向であり、副搬送路１０ｉの搬送方向は入金部１２０から振分ゲート１４に向かう方向であり、搬送路１０ｈの搬送方向は識別部３０及び振分ゲート１２から紙幣集積部２０ｃに向かう方向である。
【００３６】
識別部３０を経由してループ状の搬送経路を形成する搬送路１０ａ、３０ａ、１０ｄ〜１０ｇ、５０ａにおいて、何れの方向に紙幣を搬送しても、搬送路１０ｇと搬送路５０aは、振分ゲート１６により搬送路５０ｂに接続される。
【００３７】
搬送路１０ａ、３０ａ、１０ｄ〜１０ｇ、５０ａを含む各機構部には、搬送路を駆動する駆動モータ１７６（図９参照）、搬送路を切替えるための振分ゲート（上述の各振分ゲートを振分ゲート１７７（図９参照）と総称する）を切替える電磁ソレノイド（不図示）、及び紙幣の搬送を検知する検知センサ（不図示）等が配置されており、紙幣の取引に応じて必要な駆動モータや電磁ソレノイドが駆動され、また検知センサの検知信号を用いて紙幣の搬送状態が監視される。
【００３８】
なお、本実施例では、複数の検知センサのうち、搬送路１０ｉ、１０ｅ、１０ｄ中に実装されている検知センサを検知センサ１７５−ａとする。各図において、検知センサ１７５−ａのうち、搬送路１０ｉ中に実装されている検知センサの一部を図示する。複数の検知センサ１７５−ａは、搬送方向に対する垂直方向に所定間隔で並んで配置されており、搬送紙幣の通過により各検知センサが遮光されるタイミング及び遮光継続時間を検知する。紙幣取扱装置１は、複数の検知センサ１７５−ａの検知結果に基づいて紙幣の搬送状態を監視する。
【００３９】
入金部１２０と搬送路１０ｉは、金庫１０００の筐体外部に設置されているが、これらは１つのユニットとして金庫１０００の筐体からの着脱が可能で、入金部１２０及び搬送路１０ｉを外した状態でも、入出金部２０を利用した入出金取引に対して支障を生じることはない。なお、入金部１２０と搬送路１０ｉは、それぞれ個別のユニットとして別々に取り外し可能な構造としてもよい。
【００４０】
＜Ｃ：入金部１２０の紙幣送出構成＞
図７は、実施例１の紙幣取扱装置の入金部の構成を示す断面図である。図７は、入金部１２０から搬送路１０ｈへの紙幣送出に関与する主要なローラ構成を概略的に断面視して示す。
【００４１】
図７に示すように、入金部１２０は、上端側が開放された開口凹部１２１を備える。開口凹部１２１は、受け付けた紙幣Ｂを傾斜底面壁に堆積して保持し、凹部周囲の側壁と紙幣端部側壁１２３とで紙幣Ｂを取り囲む。また、入金部１２０は、紙幣端部側壁１２３の下端と開口凹部１２１の傾斜底面壁とで送出経路部１２４を構成し、この送出経路部１２４で開口凹部１２１をその底部コーナーにおいて搬送路１０ｈに接続する。
【００４２】
入金部１２０は、開口凹部１２１の傾斜底面壁に、紙幣送出第１ローラ１２５と、紙幣送出第２ローラ１２６と、紙幣送出第３ローラ１２７をそれぞれ複数備える。これら各送出ローラは、開口凹部１２１の傾斜底面からローラ周壁を突出させて、それぞれ回転する。入金部１２０は、各送出ローラを図７に示した図中矢印方向に回転駆動して、開口凹部１２１に堆積済みの紙幣Ｂを、堆積下方側の紙幣Ｂから送出経路部１２４及び送出経路部１２４に接続する搬送路１０ｈに一枚ずつ送り出す。紙幣送出第１ローラ１２５は、一部外周円弧の半径を他の円弧箇所の半径より大きくしているので、開口凹部１２１に堆積済みの紙幣Ｂを、上下動させつつ堆積下方側の紙幣Ｂから送出経路部１２４に送り出す。なお、入金部１２０には、紙幣送出第１ローラ１２５に並んで、図示せぬ真円状の紙幣送出第１補助ローラを備える。
【００４３】
この他、入金部１２０は、紙幣端部側壁１２３の下端側に、羽根車１２８を備える。この羽根車１２８は、紙幣端部側壁１２３において複数配設され、紙幣端部側壁１２３の開口１２３ｈから、羽根１２９の先端を開口凹部１２１の内部に突出させている。こうして突出した羽根１２９は、開口凹部１２１に保持された紙幣Ｂに対して接触可能とされている。この羽根車１２８は、後述の制御部１７０の制御を受けて、入金部１２０からの紙幣Ｂの送り出しに際して回転駆動し、その有する複数の羽根１２９を、開口凹部１２１で堆積した下方側の紙幣Ｂの端部側に接触させる。
【００４４】
本実施例では、羽根車１２８を図７に示す図中矢印方向に回転させるので、羽根１２９は、開口凹部１２１で堆積した下方側の紙幣Ｂの端部に、羽根１２９を紙幣堆積の上方側から下方側に掛けて接触させる。このため、開口凹部１２１で堆積した紙幣Ｂは、紙幣送出第１ローラ１２５を始めとする送出ローラの回転と、羽根１２９の端部接触により、堆積下方側の紙幣Ｂから一枚ずつ、順次、送出経路部１２４に送出される。
【００４５】
ここで紙幣送出にあたり、開口凹部１２１で受け入れた紙幣Ｂが一枚であったり、堆積紙幣の最上部の紙幣Ｂが一枚残ったりすることがある。こうした一枚又は数枚程度の紙幣Ｂｎは、図７の破線で示すように屈曲して紙幣送出第１ローラ１２５及び紙幣送出第２ローラ１２６と非接触となると、紙幣先端を紙幣端部側壁１２３の外表面に接触させたまま停止姿勢を取り、開口凹部１２１に留まることがある。本実施例の入金部１２０は、こうした停止姿勢にある紙幣Ｂｎの紙幣端部に羽根１２９を上述のように接触させるので、紙幣Ｂｎは停止姿勢からその姿勢を変化させて、紙幣端部が開口凹部１２１の底部コーナーの側に押し付けられる。これにより、それまで停止姿勢にあったために送出ローラと非接触であった紙幣Ｂｎは、紙幣送出第１ローラ１２５と紙幣送出第２ローラ１２６の何れか或いは両者に接触することで、送出経路部１２４に送出される。
【００４６】
＜Ｄ：入出金部の紙幣送出構成＞
図８は、実施例１の紙幣取扱装置の入出金部の構成を示す断面図である。図８に示すように、入出金部２０は、動作板９０を境界として、利用者から受け入れた入金紙幣を一枚ずつ紙幣取扱装置１内へ送り出す紙幣繰出部２０ｂと、出金動作やリジェクト動作時に紙幣を利用者へ渡すために、紙幣取扱装置１内より一枚ずつ送られた紙幣を集積する紙幣集積部２０ｃに分割される。
【００４７】
紙幣繰出部２０ｂは、図８中の右側の部分であり、紙幣繰出部２０ｂに存在する紙幣を一枚ずつ繰り出すためのローラであるピックローラ３１と、フィードローラ３２と、ゲートローラ３３と、動作板９０とで構成される。
【００４８】
紙幣繰出部２０ｂより紙幣を繰り出す場合、繰出対象となる紙幣は、動作板９０によりピックローラ３１に一定の押付力で押しつけられる。そのような押付状態下でピックローラ３１が回転することにより、所定の送り力で紙幣を繰り出し、繰り出された紙幣は、さらに、繰り出し方向に回転するするフィードローラ３２とそれと対向して紙幣の繰り出し方向には回転しないゲートローラ３３によって２枚繰り出しを防止しながら搬送路１０ｂの方向に搬送される。なお、繰出中に押付力が低下した場合は、図示せぬ押付力を検知するセンサが作動し、押付力が増加する方向へ動作板９０を移動させる。
【００４９】
紙幣集積部２０ｃは、図８中の左側の部分であり、紙幣取扱装置１から搬送路１０ｃより送られてきた紙幣を紙幣集積部２０ｃへ送り出すための常時回転する駆動ローラ３４と、この駆動ローラ３４と圧接して従動回転する従動ローラ９５と押圧板９１を備えている。通過センサ２２は搬送路１０ｃ中に設けられ、紙幣が搬送路１０ｃを通過することを検出するものである。また、紙幣集積部２０ｃは、図示せぬ駆動手段により独立して駆動するループシートローラ９４を、従動ローラ９５と同軸に複数個備える。また、紙幣集積部２０ｃは、ループシートローラ９４と対向して互いにオーバラップして配置される集積ガイド９２も備える。
【００５０】
搬送路１０ｃを通過した紙幣は、集積ガイド９２に導かれ紙幣集積部２０ｃ内に集積される。この紙幣集積部２０ｃでは紙幣の集積枚数に応じて動作板９０を図示せぬ駆動手段によって動かすことで、集積空間を拡大できるようになっている。紙幣集積部２０ｃの床面９３は紙幣の端部を支持するものである。また、紙幣集積部２０ｃの上板２３は入出金部２０の上部を覆うものであり、その一部が紙面の図８の左右方向にスライドして開閉動作するシャッタとなっている。なお上板２３は、その全体が開閉動作するシャッタであってもよい。
【００５１】
ループシートローラ９４は弾性部材（例えば、ゴムやプラスチック材）で形成されていることが望ましい。また、ループシートローラ９４は、進入する紙幣にブレーキ力を作用させ停止させる役割を持つループ部１６１と、紙幣を収納空間へ移動させるシート部１６２とを具備している。なお本実施例では、このループ部１６１とシート部１６２の組合せ（以下、ループシートという）を、後述のループシートローラ軸９４ｐの回転軸周りに１２０゜の間隔で合計３つ備えている。
【００５２】
ここでループシートローラ９４と集積ガイド９２とがオーバラップする量（図８中の“δ”）はループシートローラ軸９４ｐに備えられている位相板（不図示）により管理されている。そして、ループシートローラ９４は紙幣が集積機構へ進入する際に必ず所定の位置で停止するようになっている。このループシートローラ９４の停止位置を集積待機位置と呼ぶことにする。本実施例においては、紙幣が集積機構へ進入する度に回転し、３つのループシートのうち何れかが集積待機位置に位置する構成となっている。
【００５３】
＜Ｅ：紙幣取扱装置の機能構成＞
図９は、実施例１の紙幣取扱装置の機能構成を示すブロック図である。紙幣取扱装置１は、入金部１２０、入出金部２０、識別部３０、一時保留部４０、収納部７０〜７４、及び搬送路１０ａ〜１０ｉ、３０ａ、４０ａ、５０ａ、５０ｂ、７０ａ〜７４と、それらの各部を制御する制御部１７０を有して構成される。
【００５４】
制御部１７０は、主に制御用のマイクロプロセッサからなる主制御部１７１とメモリ１７２を有する。とりわけ、本実施例においては、搬送路１０ａ〜１０ｉ、５０a、５０ｂに配置された、紙幣の搬送を検知する複数（ｎ個）の検知センサ１７５、搬送路１０ａ〜１０ｉ、３０ａ、４０ａ、５０ａ、５０ｂ、７０ａ〜７４を駆動する複数（ｍ個）の駆動モータ１７６、及び搬送路１０ａ〜１０ｉ、３０ａ、４０ａ、５０ａ、５０ｂ、７０ａ〜７４の搬送切換えをする振分ゲート１７７を備える。
【００５５】
制御部１７０の主制御部１７１は、検知センサ１７５からの検知信号を監視し、紙幣の通過や搬送異常を検知すると共に、駆動モータ１７６を正逆方向へ回転駆動して、紙幣を正又は逆方向へ搬送制御する。また、主制御部１７１は、振分ゲート１７７を切換え制御して、紙幣を搬送する搬送路を切り替えたり、紙幣の収納先を変えたりする。すなわち主制御部１７１は、メモリ１７２と協働して、搬送路上の紙幣の搬送動作の起動や停止、搬送方向の切り替え、振分ゲートの切り替え等の動作の制御を行う。
【００５６】
以上のように構成された紙幣取扱装置１により、入金部１２０を利用した紙幣の入金動作、並びに、入出金部２０を利用した紙幣の入金動作、出金動作、及び取り忘れ回収等の処理を実行することができる。以下、実施例１における各動作について説明する。
【００５７】
＜Ｆ：入金部を利用した紙幣入金動作＞
以下、図１０〜図２６を参照して、入金部１２０を利用した紙幣入金動作を説明する。図１０は、実施例１の紙幣取扱装置の入金部を利用した大量入金処理を示すフローチャートである。図１１〜図１４は、実施例１の紙幣取扱装置の入金部を利用した各紙幣処理動作の説明図である。図１５〜図１７は、実施例１の現金自動取引装置の入出金部のシャッタの各状態時のイメージ図である。図１８〜図２２は、実施例１の現金自動取引装置の各状態時の外観斜視図である。図２３〜図２６は、実施例１の現金自動取引装置の各操作画面のイメージ図である。
【００５８】
先ず紙幣取扱装置１における入金部１２０を利用した紙幣の入金処理動作の概略について説明する。この入金処理は、取引異常時等にサポート可能な係員が常時待機する運用時間帯（例えば日中の運用）において、利用者がオープンホッパ方式の入金部１２０より大量紙幣を投入する場合を想定している。オープンホッパ方式の入金部１２０は、後述のように紙幣を順次追加投入（積み増し）することが可能であるため、１回の入金操作においてその上限紙幣量が制限される入出金部２０を用いた入金取引と比較して、大量の紙幣を入金する取引に適している。入金部１２０を利用した紙幣の入金処理は、入金部１２０に投入された紙幣の真偽判別、金種判別、計数、及び収納を連続的に行う直接入金収納処理を主体とする。
【００５９】
図１０を参照して実際の運用における大量入金の流れを示しながら、各動作の詳細については図１１〜１７を参照して説明する。現金自動取引装置１０１は、係員が付近に待機している時間帯では、予め、紙幣取扱装置１のシャッタ１２０ａを開状態に、シャッタ２０ａを閉状態にしておく（図１８参照）。
【００６０】
図１０に示す通り、入金時には、現金自動取引装置１０１は、先ず、画面操作部１０４に表示される表示画面１０４ａに、入金取引モードの選択画面を表示する（Ｓ００１及び図２３参照）。利用者は、大量入金ボタン１０４ａ−３（図２３参照）か通常入金ボタン１０４ａ−２（図２３参照）の何れかを選択する。利用者が大量入金ボタン１０４ａ−３を押下すると、大量入金モードが選択され（Ｓ００２）、現金自動取引装置１０１は、入金部１２０に入金紙幣をセットするように利用者を促す（Ｓ００３）。これは音声出力又は画面操作部１０４への表示（図２４参照）で実施されてもよい。
【００６１】
このとき、図２４に示すように、表示画面１０４ａには、取引取消ボタン１０４ａ−１、入金開始ボタン１０４ａ−４、及び部分画像１０４ａ−５が表示される。取引取消ボタン１０４ａ−１が押下されると取引が中止され、入金開始ボタン１０４ａ−４が押下されると入金が開始される。また、現金自動取引装置１０１は、シャッタ１２０ａをこのタイミング（利用者が大量入金モードを選択した後）にて閉状態から開状態へ切り替えてもよい。
【００６２】
利用者が入金紙幣を入金部１２０にセットし（Ｓ００４、図１９、及び図２０参照）、表示画面１０４ａに表示されている入金開始ボタン１０４ａ−４を押下すると（Ｓ００５及び図２４参照）、現金自動取引装置１０１は入金処理動作に移る。
【００６３】
入金処理動作では、紙幣取扱装置１は、先ず、入金部１２０に紙幣があるかどうかを検知センサ１７５で確認し（Ｓ００６）、紙幣があれば、紙幣の分離及び搬送を開始する（Ｓ００７）。なお、現金自動取引装置１０１は、紙幣取扱装置１による紙幣の分離及び搬送の開始後、表示画面１０４ａの表示を図２５に示すような部分画像１０４ａ−６を表示する画面に切り替え、入金紙幣の積み増しがある場合に適宜積み増しするように利用者に促してもよい。
【００６４】
図１１を参照して動作を説明すると、紙幣取扱装置１は、入金部１２０からの入金処理動作では、先ず振分ゲート１４を搬送路１０ｉと搬送路１０ｅを接続するように切り替える。入金部１２０に略水平にセットされた複数枚の紙幣は、一枚ずつ分離して下方の搬送路１０ｉへ繰出される。搬送路１０ｉへ繰出された紙幣は、搬送路１０ｅ及び搬送路１０ｄを通って識別部３０へ向かって搬送される。入金部１２０から繰り出された紙幣の搬送状態は、搬送路１０ｉ、１０ｅ、１０ｄ中にそれぞれ実装された検知センサ１７５−ａで監視されている。
【００６５】
検知センサ１７５−ａは、紙幣搬送方向に対して垂直方向に、例えば４つのセンサが所定間隔で配置されている。紙幣取扱装置１は、紙幣搬送時に、４つのセンサの内の第１のセンサが紙幣を検知するタイミングと、第２のセンサが紙幣を検知するタイミングとが大きく異なる場合は、紙幣が斜めになっている（スキュー状態）とみなし、搬送異常紙幣と判定する。
【００６６】
また、紙幣取扱装置１は、４つのセンサの内、少なくとも１つのセンサが、搬送状態が正常の紙幣が搬送されたときの紙幣検知時間と比べて十分に長い時間紙幣を検知し続けている場合は、複数の紙幣が連なって搬送されている（連れ出し状態）、もしくは、１枚の紙幣が縦方向になっている（大スキュー状態）とみなし、搬送異常紙幣と判定する。スキュー状態、連れ出し状態、及び大スキュー状態の搬送異常紙幣は、識別部３０において搬送異常要因で確実にリジェクト判定される搬送異常紙幣であるので、搬送異常紙幣は識別部３０の結果を待たずに紙幣集積部２０ｃへ放出される（Ｓ００８及び図２１参照）。
【００６７】
図１２を参照して動作を説明すると、紙幣取扱装置１は、搬送異常紙幣に対する処理は、識別部３０の判別結果を待たずに、駆動モータ１７６の回転速度と回転時間から、搬送異常紙幣が振分ゲート１２に到達するタイミングを割り出し、搬送異常紙幣が振分ゲート１２に到達する前に、図示せぬ電磁ソレノイドを駆動し、振分ゲート１２を切り替えて搬送路１０ｈを形成し、搬送路３０ａと搬送路１０ｃを接続する。なお、この動作は、搬送異常紙幣が振分ゲート１２へ到達するまでに完了する。
【００６８】
ここで原理的には識別部３０によって搬送異常紙幣を検出することによっても可能であるが、振分ゲート１２が識別部３０と隣接しているため、紙幣の搬送速度や識別部３０の処理能力によっては、搬送異常紙幣と認識してから振分ゲート１２を切り替える処理が間に合わない場合もある。そこで上述のように搬送路中に設けたセンサにて搬送異常を予め検出することによって、確実に紙幣集積部２０ｃへ搬送異常紙幣を搬送することができる。
【００６９】
その後、搬送異常紙幣は、搬送路３０ａ、１０ｈ、１０ｃを通って、入出金部２０の紙幣集積部２０ｃに戻されて集積される。そして、搬送異常紙幣を利用者により早く返却し、紙幣を再投入してもらうため、現金自動取引装置１０１は、この段階でシャッタ２０ａを開ける（Ｓ００９）。これにより、利用者は紙幣集積部２０ｃから搬送異常紙幣を抜き取り、入金部１２０に積み増しして再投入することが可能となる（Ｓ０１０及び図２２参照）。このとき、現金自動取引装置１０１は、画面操作部１０４の表示画面１０４ａに図２６に示すような部分画像１０４ａ−７及び取引取消ボタン１０４ａ−１を表示してもよい。
【００７０】
なお図１０のＳ００９のシャッタ２０ａ開処理では、現金自動取引装置１０１は、全閉状態２０ａ−１で図１５に示す状態であるシャッタ２０ａを、全開状態２０ａ−３（図１７参照）からわずかに閉じた位置２０ａ−２（図１６参照）で停止させてもよい。シャッタ２０ａを全開状態２０ａ−３（図１７参照）にしてしまうと、後続の搬送異常紙幣が入出金部２０の紙幣集積部２０ｃに搬送される際に、紙幣集積部２０ｃから飛び出す可能性があるため、シャッタ２０ａ開処理の際に、シャッタ２０ａを駆動する時間を監視して、搬送異常紙幣を抜き取る際に邪魔にならない程度に、シャッタ２０ａを半開き状態２０ａ−２（図１６参照）で停止させることで、紙幣の飛び出しを抑止しつつ、紙幣の抜取りを可能にする。
【００７１】
一方、紙幣取扱装置１は、搬送路１０ｉ、１０ｅ、１０ｄ中にそれぞれ実装された検知センサ１７５−ａで監視した結果、搬送異常紙幣でない場合は、識別部３０で判別を実施する（Ｓ０１１）。識別部３０は、その内部に実装されたセンサによって、通過する紙幣の画像や磁気情報を取得し、取得した情報に基づいて紙幣の真偽、金種、及び正損状態を判別（識別）する。紙幣取扱装置１は、この判別結果によって、紙幣の搬送先を振り分ける。
【００７２】
紙幣取扱装置１は、識別部３０での判別の結果、受け入れ可能紙幣を収納部７１〜７３へ搬送する（Ｓ０１２）。図１１を参照して動作を説明すると、識別部３０を通過した紙幣は、搬送路１０ａによって搬送され、振分ゲート１１によって搬送路５０ａを通じて下部へ搬送される。さらにこの紙幣は、搬送路５０ａによって搬送され、識別部３０で判別された金種に応じて振分ゲート５１〜５３が切り替えられて、収納部７１〜７３の何れかに収納される。
【００７３】
紙幣取扱装置１は、識別部３０での判別の結果、受け入れ不可な紙幣であり、かつ、利用者に返却する紙幣であると判別した場合（以降、この紙幣をリジェクト返却紙幣と呼ぶ）、リジェクト返却紙幣を収納部７０へ一時収納する（Ｓ０１２）。
【００７４】
図１３を参照して動作を説明すると、識別部３０を通過した紙幣は、搬送路１０ａによって搬送され、振分ゲート１１によって搬送路５０ａを通じて下部へ搬送される。さらにこのリジェクト返却紙幣は、搬送路５０ａによって搬送され、振分ゲート５４が搬送路５０ｂと搬送路７０ａを接続するように切り替えられることにより、収納部７０へ搬送され、一時収納される。
【００７５】
紙幣取扱装置１は、識別部３０により、還流に適さない損券や収納部７１〜７３に割り当てられていない非還流の紙幣であると判別された場合（以降、この紙幣をリジェクト回収紙幣と呼ぶ）、リジェクト回収紙幣を収納部７４へ搬送する（Ｓ０１２）。
【００７６】
図１３を参照して動作を説明すると、識別部３０を通過した紙幣は、搬送路１０ａによって搬送され、振分ゲート１１によって搬送路５０ａを通じて下部へ搬送される。さらにこのリジェクト回収紙幣は、搬送路５０ａによって搬送され、振分ゲート５４が搬送路７４ａに接続するように切り替えられることにより、収納部７４へ搬送される。
【００７７】
入金部１２０からの入金紙幣搬送完了後、収納部７０へ一時収納されたリジェクト返却紙幣は、利用者に返却され再投入が促されることができる。リジェクト返却紙幣がある場合（Ｓ０１３：ＹＥＳ）、紙幣取扱装置１は、収納部７０に一時収納された紙幣を、紙幣集積部２０ｃへ搬送する（Ｓ０１４）。
【００７８】
図１４を参照して動作を説明すると、収納部７０から一枚ずつ繰出された紙幣は、搬送路７０ａ、５０ｂ、５０ａ、１０ａを通って識別部３０へ搬送され、そこで再判別される。この時、識別部３０で再度リジェクト返却紙幣と判別されると、紙幣取扱装置１は、振分ゲート１３を搬送路１０ｄと搬送路１０ｃを接続するように切り替えることにより、搬送路１０ｄ及び搬送路１０ｃを通って、紙幣集積部２０ｃに紙幣を集積し、利用者に返却する。
【００７９】
一方、識別部３０での紙幣の再判別の結果、この紙幣が受入可能であると判別された場合、紙幣取扱装置１は、振分ゲート１３を搬送路１０ｄと搬送路１０ｅを接続するように切り替え、振分ゲート１４を搬送路１０ｅと搬送路１０ｆを接続するように切り替え、振分ゲート１５を搬送路１０ｆと搬送路４０ａを接続するように切り替える。そして、紙幣取扱装置１は、受入可能な紙幣を、搬送路１０ｄ、１０ｅ、１０ｆ、４０ａを通って、一時保留部４０に集積する。
【００８０】
現金自動取引装置１０１は、紙幣取扱装置１による収納部７０の紙幣の搬送完了後、シャッタ２０ａを開け（Ｓ０１５）、リジェクト返却紙幣を利用者に返却する（Ｓ０１６）。Ｓ０１６では、利用者に、入出金部２０の紙幣集積部２０ｃから返却した紙幣を入金部１２０に再セットさせてもよい。この際、リジェクト返却紙幣は入金部１２０と異なる場所にある入出金部２０から返却されるため、取引を行っている利用者がそれに気付かない可能性も考えられる。このため入金部１２０からの入金取引は、上述したように係員が付き添うかもしくは近くに待機しているような状況下で実施されることが望ましい。
【００８１】
上述のようにオープンホッパ方式の入金部１２０は、紙幣の追加投入（積み増し入金）が可能であるため、入金部１２０へ一度にセットできない程の大量の紙幣を入金する場合においても、利用者は手持ちの入金用紙幣がなくなるまで順次追加投入していくことができる。また、その途中でリジェクト返却された紙幣についても入出金部２０から返却されるため、再度、入金部１２０から積み増し投入させることも可能である。
【００８２】
入金部１２０にはホッパ内の紙幣の残留の有無を検知する残留紙幣検知センサが設けられており、紙幣取扱装置１は、残留紙幣検知センサによる紙幣残留なしを検知後、所定の時間が経過すると更なる追加の入金紙幣なしとして紙幣搬送が完了したと判断する（Ｓ０１７）。
【００８３】
現金自動取引装置１０１は、紙幣取扱装置１による全ての紙幣の分離及び搬送が完了すると（Ｓ０１８）、画面操作部１０４に表示される表示画面１０４ａに入金金額を表示する（Ｓ０１９）。現金自動取引装置１０１は、利用者により入金確定ボタンが押下されると（Ｓ０２０）、必要に応じて明細書を印刷する（Ｓ０２１）。利用者は、Ｓ０２１で印刷された明細書を受け取る（Ｓ０２２）。以上で紙幣取扱装置１の入金部１２０を利用した大量入金処理が終了する。
【００８４】
利用者の入金枚数確定後、一時保留部４０に集積された紙幣は、以下の「Ｇ：入出金部を利用した紙幣入金動作」で説明する収納動作と同様のルートで各カセットに収納される。つまり、入金部１２０からの入金において、受入可能な紙幣は、一度リジェクト返却紙幣であると判別されても、返却途中で識別部３０を再び通り、再度鑑別することができるため、入金時のリジェクト枚数を減らす効果が期待でき、結果として、入金部１２０からの入金取引における、紙幣の判別精度を向上させることにつながる。
【００８５】
＜Ｇ：入出金部を利用した紙幣入金動作＞
以下、図２７〜図３２を参照して、入出金部２０を利用した紙幣入金動作を説明する。図２７は、実施例１の紙幣取扱装置の入出金部を利用した通常入金処理を示すフローチャートである。図２８〜図２９は、実施例１の紙幣取扱装置の入出金部を利用した各紙幣処理動作の説明図である。図３０は、実施例１の現金自動取引装置の入金部及び入出金部のシャッタが全閉状態時の外観斜視図である。図３１は、実施例１の現金自動取引装置の通常入金時における入出金部への紙幣投入時の外観斜視図である。図３２は、実施例１の現金自動取引装置の通常入金時における入金紙幣セットを促すための操作画面のイメージ図である。
【００８６】
先ず紙幣取扱装置１における入出金部２０を利用した紙幣の入金処理動作の概略について説明する。この入金処理は、夜間等の係員が居ない運用時間帯や、係員とのやり取りを介さない現金自動取引装置としての運用において、利用者が紙幣を入金する取引を想定している。入出金部２０を利用した紙幣の入金処理は、入出金部２０の紙幣繰出部２０ｂに投入された紙幣の真偽判別、金種判別、及び計数を行う入金計数処理を主体とする。
【００８７】
図２７を用いて実際の運用における通常入金の流れを示しながら、各動作の詳細については図２８及び図２９を参照して説明する。現金自動取引装置１０１は、係員が付近に待機していない時間帯は、紙幣取扱装置１のシャッタ１２０ａ、シャッタ２０ａをともに閉状態にしておく（図３０参照）。
【００８８】
図２７に示す通り、入金時には、現金自動取引装置１０１は、先ず、画面操作部１０４に表示される表示画面１０４ａに、入金取引モードの選択画面を表示する（Ｓ１０１及び図２３参照）。利用者は、大量入金ボタン１０４ａ−３（図２３参照）か通常入金ボタン１０４ａ−２（図２３参照）の何れかを選択する。利用者が通常入金ボタン１０４ａ−２を押下すると、通常入金モードが選択され（Ｓ１０２）、現金自動取引装置１０１は、シャッタ２０ａを開け（Ｓ１０３）、入出金部２０に入金紙幣をセットするように利用者を促す。これは音声又は画面操作部１０４への表示（図３２参照）で実施してもよい。
【００８９】
このとき、図３２に示すように、表示画面１０４ａには、取引取消ボタン１０４ａ−１、入金開始ボタン１０４ａ−４、及び部分画像１０４ａ−８が表示される。取引取消ボタン１０４ａ−１が押下されると取引が中止し、入金開始ボタン１０４ａ−４が押下されると入金が開始される。
【００９０】
利用者が入金紙幣を入出金部２０にセットし（Ｓ１０４及び図３１参照）、画面操作部１０４の表示画面１０４ａに表示されている入金開始ボタン１０４ａ−４が押下されると（Ｓ１０５）、現金自動取引装置１０１は、シャッタ２０ａを閉じ（Ｓ１０６）、入金処理動作に移る。
【００９１】
入金処理動作では、紙幣取扱装置１は、先ず、入出金部２０に紙幣があるかどうかを検知センサ１７５で確認し（Ｓ１０７）、紙幣があれば、紙幣の分離及び搬送を開始する（Ｓ１０８）。
【００９２】
図２８を参照して動作を説明すると、紙幣取扱装置１は、入出金部２０の紙幣繰出部２０ｂに略立位にセットされた複数枚の紙幣は一枚ずつ分離して下方の搬送路１０ｂへ繰り出す。搬送路１０ｂへ繰出された紙幣は、搬送路１０ａより識別部３０内の搬送路３０ａを前方から後方へ（図２８において右から左へ）通過する。
【００９３】
識別部３０では、その内部に実装されたセンサによって、通過する紙幣の画像や磁気情報が取得され、その紙幣の真偽、金種、及び正損状態が判別される（Ｓ１０９）。識別部３０を通過した紙幣は、識別部３０の後部から搬送路１０ｄを通って一旦上方へ搬送される。紙幣は、搬送路１０ｄを搬送されている間に、識別部３０による判別が完了して、その判別結果に応じて振分ゲート１３の切り替えが行われる。
【００９４】
すなわち、紙幣取扱装置１は、識別部３０によって受け入れ可能な紙幣であると判別された場合、振分ゲート１３を搬送路１０ｄと搬送路１０ｅを接続するように切り替え、その紙幣を搬送路１０ｄ、１０ｅ、１０ｆ、４０ａにより搬送して一時保留部４０内に集積する（Ｓ１１０）。
【００９５】
一方、紙幣取扱装置１は、識別部３０により受け入れ不可な紙幣であると判別された場合、振分ゲート１３を搬送路１０ｄと搬送路１０ｃを接続するように切り替え、その紙幣を紙幣集積部２０ｃに戻して集積し、利用者に返却する（Ｓ１１０）。
【００９６】
現金自動取引装置１０１は、紙幣取扱装置１が入出金部２０に投入された全ての紙幣を処理した後で、リジェクト紙幣がある場合（Ｓ１１１：ＹＥＳ）は、シャッタ２０ａを開け（Ｓ１１２）、利用者に紙幣集積部２０ｃから紙幣を抜き取らせる（Ｓ１１３）。現金自動取引装置１０１は、利用者が紙幣を抜き取るとその旨をセンサ（不図示）が検知してシャッタ２０ａを閉じ（Ｓ１１４）、表示画面１０４ａに入金金額を表示する（Ｓ１１５）。
【００９７】
現金自動取引装置１０１は、利用者が追加で入金したい場合に画面操作部１０４の表示画面１０４ａ上の追加入金ボタン（不図示）が押下されると（Ｓ１１６）、Ｓ１０３に処理を移す。現金自動取引装置１０１は、追加入金がない場合は、入金された金額と紙幣取扱装置１が計数した金額とが一致し、利用者によって画面操作部１０４の表示画面１０４ａ上の入金取引確定ボタン（不図示）が押下されると（Ｓ１１７）、一時保留部４０に一時収納されていた紙幣を収納部７１〜７４に搬送して収納する（収納処理）（Ｓ１１８）。
【００９８】
図２９を参照して、上述の収納処理について説明する。収納処理では、紙幣取扱装置１は、先ず振分ゲート１３を一時保留部４０と識別部３０を接続するように切り替え、振分ゲート１１を搬送路１０ａと搬送路５０ａへ接続するように切り替える。一時保留部４０から一枚ずつ繰出された紙幣は、搬送路４０ａ、１０ｆ、１０ｅ、１０ｄを通って識別部３０へ搬送される。識別部３０で再識別され、識別部３０通過した紙幣は、搬送路１０ａによって搬送され、振分ゲート１１によって搬送路５０ａを通じて下部へ搬送される。さらに紙幣は、搬送路５０ａによって搬送され、識別部３０で判別された金種に応じて振分ゲート５１〜５３が切り替えられて、収納部７１〜７３の何れかに収納される。
【００９９】
なお識別部３０で再識別された際に搬送異常と判別された紙幣は、リジェクト回収紙幣を収納する収納部７４へ搬送される。これにより不適切な紙幣を還流（リサイクル）のため収納庫から繰り出して搬送する際に搬送異常が再び発生すこと等を回避することでき、紙幣取扱装置１及び現金自動取引装置１０１の正常稼働の継続性を高めることができる。
【０１００】
一方、紙幣取扱装置１は、識別部３０により、還流に適さない損券や収納部７１〜７３に割り当てられていない非還流の紙幣であると判別された場合、振分ゲート５４を搬送路５０ｂと搬送路７４ａを接続するように切り替え、非還流の紙幣を収納部７４に収納する。
【０１０１】
現金自動取引装置１は、紙幣取扱装置１により一時保留部４０にある紙幣を全て分離及び搬送完了すると（Ｓ１１９）、必要に応じて明細書を印刷する（Ｓ１２０）。利用者は、Ｓ１２０で印刷された明細書を受け取る（Ｓ１２１）。以上で紙幣取扱装置１の入出金部２０を利用した通常入金処理が終了する。
【０１０２】
なお、上述の大量入金モードにおいて、搬送異常等によりリジェクト返却された紙幣の枚数が少数であれば、再投入先として入出金部２０からの入金取引を選択することも可能である。利用者が、大量入金後の再入金を入出金部２０から行うと選択した場合、一時保留部４０に紙幣がなければ、直ちに入金計数を行うことができる。一時保留部４０に紙幣がある場合は一旦収納処理動作を行って一時保留部４０を空にしてから、入金計数を実施する。
【０１０３】
上述の大量入金モードと通常入金モードとの違いをまとめると、次のとおりである。
【０１０４】
＜大量入金モード＞
（特徴１）収納部に空き容量がある限りは大量の紙幣を連続して入金可能。
（特徴２）積み増しできるため、利用者の手間が少ない。
（特徴３）入金部１２０から、一時保留部４０を介さず直接収納部７０〜７１に搬送するので搬送距離が短い。
【０１０５】
＜通常入金モード＞
（特徴１）１度にセットできる紙幣枚数に上限がある。
（特徴２）大量入金しようとすると、数回に分けて入金する必要あるため、利用者にとって煩わしい。
（特徴３）一時保留部４０に一時的に保管後、計数→収納の流れで紙幣を入金するので搬送距離が長い。
【０１０６】
上記それぞれの（特徴１）〜（特徴３）の比較より、大量入金モードの方が、入金取引時間を短縮でき、利用者の手間も減らすことができることが分かる。
【０１０７】
＜Ｈ：紙幣出金動作＞
次に、図３３及び図３４を参照して出金取引処理動作について説明する。図３３は、実施例１の紙幣取扱装置の入出金部を利用した出金処理動作の説明図である。図３４は、実施例１の紙幣取扱装置の入出金部を利用した出金時のリジェクト処理動作の説明図である。
【０１０８】
出金取引処理では、金種別に収納された収納部７１〜７３のうち出金が指定された金種の紙幣を収納する収納部から紙幣が一枚ずつ繰り出されて、搬送路５０ａ、１０ａを通って識別部３０（搬送路３０ａ）へ搬送され、識別部３０で出金可能な紙幣か否かが判定される。識別部３０で判別の結果、出金可能な紙幣であれば、紙幣取扱装置１は、振分ゲート１３を搬送路１０ｄと搬送路１０ｃを接続するように切り替えて、紙幣集積部２０ｃに紙幣を集積する（図３３参照）。
【０１０９】
一方、識別部３０で判別の結果、出金不可能な紙幣であれば、紙幣取扱装置１は、振分ゲート１３を搬送路１０ｄと搬送路１０ｅを接続するように切り替えて、搬送路１０ｆ、１０ｇ、５０ｂを通して、振分ゲート５４により搬送路７４ａを接続して収納部７４に紙幣を搬送する（図３４参照）。この紙幣の識別部３０での判別と判別結果に応じた振分ゲート１３の切り替え制御は、紙幣が搬送路１０ｄを搬送されている間に完了する。
【０１１０】
紙幣の搬送動作が終了すると、入出金部２０のシャッタ２０ａが開き（図１参照）、紙幣集積部２０ｃに集積した紙幣は利用者に抜き取り可能な状態となる。現金自動取引装置１は、利用者が紙幣を抜き取った旨をセンサ（不図示）で検知してシャッタ２０ａを閉じ、一連の出金取引処理を終了する。このように、出金取引処理動作では、搬送路５０ａ、１０ａ、３０ａ、１０ｄ〜１０ｇにおいて紙幣を第１の搬送方向（反時計回りの矢印方向（図３３及び図３４の左回転方向））へ搬送するように動作する。
【０１１１】
＜Ｉ：取忘れ紙幣回収動作＞
次に、図３５を参照して、取り忘れ紙幣の回収処理動作について説明する。図３５は、実施例１の紙幣取扱装置の入出金部を利用した取忘れ紙幣回収処理動作の説明図である。取忘れ紙幣回収処理動作は、入出金部２０の紙幣集積部２０ｃに集積された紙幣を利用者が取り忘れた際、その紙幣を収納部７４に回収する動作である。
【０１１２】
取忘れ紙幣回収動作では、紙幣取扱装置１は、先ず、振分ゲート１３を搬送路１０ｄと搬送路１０ｅを接続するように切り替えて、振分ゲート１４を搬送路１０ｅと搬送路１０ｆを接続するように切り替えて、振分ゲート１５を搬送路１０ｆと搬送路１０ｇを接続するように切り替えて、振分ゲート１６を搬送路１０ｇと搬送路５０ｂを接続するように切り替えて、振分ゲート５４を搬送路５０ｂと搬送路７４ａを接続するように切り替える。紙幣集積部２０ｃに出金されたが利用者が取忘れた紙幣は、紙幣集積部２０ｃ内で押圧板９１に押されて入出金部２０の前方へ移動しながら、一枚ずつ搬送路１０ｂへ繰出される。紙幣は、搬送路１０ａ、３０ａ、１０ｄ、１０ｅ、１０ｆ、１０ｇ、５０ｂ、７４ａを通過して、収納部７４へ収納される。
【０１１３】
次に、図３６を参照して、他の例による入金紙幣回収処理動作について説明する。図３６は、他の例の紙幣取扱装置の入出金部を利用した入金紙幣回収処理動作の説明図である。図２８の例では、入金計数処理時に、識別部３０で偽札などのように再流通不適紙幣と判別された紙幣は、振分ゲート１５を切り替えて一時保留部４０に収納した。図３６に示す代替例によれば、紙幣取扱装置１は、再流通不適紙幣を一時保留部４０に収納せずに、振分ゲート１５を搬送路１０ｆと搬送路１０ｇが接続するように切替えて、搬送路１０ｄ、１０ｅ、１０ｆ、１０ｇ、５０ｂ、７４ａを通過させて、収納部７４に収納する。なお、振分ゲート１５の切り替えは、搬送路１０ｄで紙幣を搬送している間に完了する。
【０１１４】
以上説明したように実施例１の紙幣取扱装置１及び紙幣取扱装置１を搭載した現金自動取引装置１０１によれば、通常の入出金部２０以外にオープンホッパタイプの入金部１２０を備えているので、大量の紙幣を持ち込んで入金しようとする利用者にとって短時間での入金取引を行うことができる。
【０１１５】
＜Ｊ：実施例１の現金自動取引装置の運用方法＞
オープンホッパタイプの入金部１２０を使った取引操作は、従来の現金自動取引装置とは異なる部分があるため、係員が必要に応じて利用者の取引操作をサポートできるようにしておくことが望ましい。以下、この点を考慮した実施例１の現金自動取引装置１０１の装置運用方法について説明する。
【０１１６】
図３７は、実施例１の現金自動取引装置の運用形態を説明するための図である。図３７（ａ）に示すように、実施例１の現金自動取引システム１Ｓは、管理センタ内に設置されたサーバ１２０３と、ネットワーク１２０４を介して接続された１又は複数の現金自動取引装置１０１とを有する。
【０１１７】
（１）時間帯による装置運用の切替え
係員が常駐するような営業時間帯においては、現金自動取引装置１０１は入金部１２０及び入出金部２０の何れも使用可能として利用者が選択できるような動作モード（営業時間帯（昼間時間帯）モード）とするように、ネットワーク１２０４を経由してサーバ１２０３から「営業時間帯モード」への切替指示が送信される（図３７（ａ）参照）。すなわち、現金自動取引装置１０１の制御部１２０１は、サーバ１２０３からの指示に応じて、利用者に対して、取引時に現金自動取引装置１０１の画面操作部１０４の表示画面１０４ａ（図２３参照）に従って入金部１２０又は入出金部２０の何れを用いて入金を行うかを選択させる。
【０１１８】
このとき、利用者が、例えば入出金部２０の最大入金可能枚数以上の入金をする場合には入金部１２０からの入金を促す表示画面１０４ａ（図２４参照）を表示したり、その利用者の以前の取引履歴等を参照して過去に入金部１２０からの連続取引にて大量入金を行った履歴がある利用者には入金部１２０からの入金を促したりすることも可能である。
【０１１９】
あるいは、入金部１２０又は入出金部２０の何れかを用いた取引の選択は、取引を行おうとしている利用者を補助するための係員等が現金自動取引装置１０１に設けた係員専用ボタン等（不図示）を操作することにより行ってもよい。
【０１２０】
一方、例えば係員が不在の夜間の運用では、従来の現金自動取引装置と同様又は類似する操作の入出金部２０からの入出金取引のみが可能な動作モード（夜間休日（夜間時間帯）モード）とするように、ネットワーク１２０４を経由してサーバ１２０３から「夜間休日モード」への切替指示が送信され(図３７（ａ）参照)、利用者が単独で操作する際、入金部１２０の使用を無効にして戸惑いや操作ミス、紙幣の取り忘れ等が起こらないようにする。すなわち、夜間の運用では、入金部１２０のシャッタ１２０ａを常時閉じておき、利用者の誤投入を防ぐ。もちろん、上述の入金部選択モードのように利用者に対して入出金部２０又は入金部１２０の何れから入金するかを選択させる画面表示は不要となる。
【０１２１】
上述の「営業時間帯モード」と「夜間休日モード」の切替は、別途のタイムテーブル等に切替時間や曜日等を設定することによって自動的に切り替えるようにしてもよいし、係員が手動で切り替えるようにしてもよい。
【０１２２】
また、「営業時間帯モード」と「夜間休日モード」の切替は、応対可能な係員の在不在に応じて切り替えてもよい。営業時間内であったとしても、現金自動取引装置１０１の操作に慣れている係員が外出等で不在の場合もあるからである。このような場合、係員の在店状況は、係員自身による現金自動取引装置１０１への入力を元に切り替える、あるいは勤務管理装置１２０５等からの情報を用いて自動的に切り替えることも可能である。
【０１２３】
あるいは、営業時間帯は大量入金のみを行うよう入金部１２０のみを使用可能とし、夜間休日等は従来の現金自動取引装置のように入出金部２０のみを使用可能とするように切り替えてもよい。
【０１２４】
（２）利用者が係員と協調して現金自動取引装置を操作することを想定した運用方法
上述の構成は利用者が入金部１２０を利用して入金取引を行った際に異常等があった場合に係員がすぐに応対できるように係員が待機している場合に限定して入金部１２０の利用を許容するとの考え方に基づくものである。しかし、取引の最初から係員が利用者に付き添って現金自動取引装置を操作すれば、よりスムーズに操作もできるし異常時等にも無用なトラブルの発生を少なくすることが可能となる。具体的には以下のように構成して制御を行う。
【０１２５】
現金自動取引装置１０１の画面操作部１０４の表示画面１０４ａ（図２３参照）にて、利用者が入金部１２０からの取引を選択すると、現金自動取引装置１０１は応対可能な係員に対してその現金自動取引装置１０１へ出向いて顧客対応をさせるように指示通知を行う。現金自動取引装置１０１へ出向いた係員は、現金自動取引装置１０１に設けられた係員専用の設定部等を用いて、入金部１２０からの入金が可能となるように現金自動取引装置１０１を設定する。このタイミングでシャッタ１２０ａを閉から開としてもよい。
【０１２６】
ここで、その係員が別の顧客対応等ですぐには対応不可能な場合や所定時間経過しても係員が現金自動取引装置１０１に到着しない場合、現金自動取引装置１０１は画面操作部１０４に、入出金部２０を用いた取引を案内したり、係員がいる窓口へ誘導するようなガイダンス画面を表示したりしてもよい。
【０１２７】
また、上述の入金部１２０の選択や係員への通知は、必ずしも現金自動取引装置１０１にて実施する必要はなく、受付端末（顧客誘導端末）等で行ってもよい。図３７（ｂ）に示すように、受付端末１２０６は、利用者が入出金部２０を使用する第１の取引と入金部１２０を使用する第２の取引との何れかを選択入力する受付画面を表示する。受付端末１２０６は、利用者が第２の取引を選択入力した場合、係員に対してその旨を通知するとともに、現金自動取引装置１０１に対して入金部１２０の使用を要求する第２取引要求コマンドを送信する。現金自動取引装置１０１は、第２取引要求コマンドを受信した場合、係員の指示に基づいて入金部１２０の使用を許容する．この場合、係員がすぐに対応できない場合、利用者は係員の到着を待つことを選択することも可能であり、その場合、受付端末１２０６は番号札を発券することも可能である。
【０１２８】
（３）特定の利用者に限定して係員なしで入金部１２０の利用を許容する運用方法
上述の構成はいずれも係員が異常時対応をすることを前提としたものであったが、現金自動取引装置１０１の操作に習熟しているような利用者であれば、係員のサポートは不要な場合もある。あるいは、事前に現金自動取引装置１０１の操作の教育等を実施し、異常時の紙幣取り忘れ等があってもその補償を要求しない旨の念書を銀行側へ提出済みの利用者であれば、係員が不在でも入金部１２０を用いた取引を許容してもよい。
【０１２９】
そこで、図３７（ｃ）に示すように、入金部１２０の単独利用を許容された利用者であることを識別するフラグを利用者のアカウント情報に含めて記憶装置１２０７に記憶しておき、現金自動取引装置１０１は、取引開始時の認証において記憶装置１２０７を参照し、利用者が入金部１２０の単独利用が許容された利用者であると確認できれば、入金部１２０及び入出金部２０の何れかを選択する表示画面１０４ａ（図２３参照）を画面操作部１０４に表示させるようにしてもよい。なお記憶装置１２０７は、現金自動取引装置１０１の内部に設けられてもよい。
【０１３０】
あるいは、入金部１２０の単独利用が予め許容された利用者でなくても、取引開始時に画面操作部１０４にて異常時の操作方法や係員なしでの単独利用に起因するリスク等を説明した上で、係員なしでの操作によって何らかの問題が発生したとしても、店舗や銀行等の現金自動取引装置１０１の運営者又は管理者への補償要求はしないとの入力を行わせることによって、係員なしでの入金部１２０の利用を許容するようにしてもよい。
【実施例２】
【０１３１】
上述の実施例１では、大量の紙幣が収納可能な収納部７０をリジェクト返却紙幣の一時的な収納部として使用しており、現金自動取引装置１０１が設置されている国や地域固有の事情等により、リジェクト返却紙幣が多く発生する可能性がある場合は有用である。しかし、リジェクト返却紙幣があまり多く発生しないような場合は、リジェクト返却紙幣の一時的な収納部として収納部７０を使用するのは得策ではない。
【０１３２】
すなわち、収納部７０以外にリジェクト返却紙幣を一時的に収納するエリアを確保できれば、収納部７０を他の用途（入金取引の際の紙幣の受け入れ先等）として使用することができ、結果的に扱える紙幣容量を増やすことができる。以下、リジェクト返却紙幣の一時収納部を収納部７０以外とした構成を説明する。
【０１３３】
（１）２段式収納部を使用した場合
図３８は、実施例２の２段式収納部を有する紙幣取扱装置の内部構成を示す図である。実施例１では、紙幣取扱装置１は、収納部７０〜７４はそれぞれ１つの収納庫で構成されていたが、実施例１の収納部７４（図６参照）を、図３８に示すような下段収納部７４−１と上段収納部７４−２から構成されている２段式の上下分割型収納部に置き換え、さらに、上段収納部７４−２を第２の一時保留部として、下段収納部７４−１をリジェクト紙幣回収部として用いる場合について説明する。ここで、下段収納部７４−１は、振分ゲート５６を介して、搬送路７４ａと搬送路７４ｃによって接続され、上段収納部７４−２は、振分ゲート５６を介して、搬送路７４ａと搬送路７４ｂによって接続されるような構成である。この構成にすると、新たに収納部７０を入金紙幣の受け入れ先として用いることが可能となり、実施例２の紙幣取扱装置１Ｂで還流できる紙幣枚数が増えるため、現金自動取引装置の稼働率向上につながる。
【０１３４】
入金部１２０を利用した紙幣入金動作は、「Ｆ：入金部を利用した紙幣入金動作」で上述した実施例１の紙幣入金動作と基本的に同様だが、図１１で収納部７１〜７３に受け入れ可能紙幣を収納していたのに加えて、収納部７０も受け入れ可能紙幣の収納先として用いることができる。収納部７０へ紙幣を収納する際は、振分ゲート５４を搬送路５０ｂと搬送路７０ａが接続するように切替え、紙幣は搬送路５０ａ、５０ｂ、７０ａを通って、収納部７０に搬送される。
【０１３５】
図４０は、実施例２の紙幣取扱装置の入金部を利用した直接入金時のリジェクト紙幣収納動作の説明図である。入金部１２０を利用した入金動作時の入金リジェクト紙幣収納動作は、「Ｆ：入金部を利用した紙幣入金動作」で上述した実施例１の入金リジェクト紙幣収納動作と比較して、紙幣の一時収納先を収納部７０から上段収納部７４−２に置き換えればよい。振分ゲート５６を搬送路７４ａと搬送路７４ｂが接続するように切り替えれば、入金リジェクト紙幣は、搬送路５０ａ、５０ｂ、７４ａ、７４ｂを通って、上段収納部７４−２に搬送される。
【０１３６】
一方、「Ｆ：入金部を利用した紙幣入金動作」で上述した実施例１の入金リジェクト紙幣回収動作は、入金リジェクト紙幣の収納先を収納部７４から下段収納部７４−１に置き換えて考えればよい。これは振分ゲート５６を搬送路７４ａと搬送路７４ｃが接続するように切り替えれば、入金リジェクト紙幣は搬送路５０ａ、５０ｂ、７４ａ、７４ｃを通って、下段収納部７４−１に搬送される。
【０１３７】
図４１は、実施例２の紙幣取扱装置の入金部を利用した直接入金時のリジェクト紙幣返却動作の説明図である。入金動作後の入金リジェクト紙幣返却動作は、「Ｆ：入金部を利用した紙幣入金動作」で上述した実施例１の入金リジェクト紙幣返却動作において紙幣を繰り出す収納部を、収納部７０から上段収納部７４−２に置き換えればよい。このとき、振分ゲート５６を搬送路７４ｂと搬送路７４ａが接続するように切り替え、振分ゲート５４を搬送路７４ａと搬送路５０ｂが接続するように切り替えることで実現できる。入金リジェクト紙幣は、搬送路７４ｃ、７４ａ、５０ｂ、５０ａ、１０ａの順に通って、識別部３０ａへ搬送される。以降は、「Ｆ：入金部を利用した紙幣入金動作」で上述した実施例１の入金リジェクト紙幣返却動作と同様である。
【０１３８】
図４２は、実施例２の紙幣取扱装置における入金収納処理動作の説明図である。「Ｇ：入出金部を利用した紙幣入金動作」で上述した入金収納動作において、受入可能な紙幣は、その行先として収納部７０を選択することが可能となる。振分ゲート５４を搬送路５０ｂと搬送路７０ａが接続するように切替え、受入可能紙幣は搬送路５０ａ、５０ｂ、７０ａを通って、収納部７０に搬送される。一方、受入不可な紙幣は、その行先を収納部７４から下段収納部７４−１に置き換えればよい。これは振分ゲート５４を搬送路５０ｂと搬送路７４ａが接続するように切替え、振分ゲート５６を搬送路７４ａと搬送路７４ｃが接続するように切り替えれば、紙幣は搬送路５０ａ、５０ｂ、７４ａ、７４ｃを通って、下段収納部７４−１へ搬送される。
【実施例３】
【０１３９】
実施例３も、実施例２と同様に、リジェクト返却紙幣があまり多く発生しないような状況において、入金部１２０からの入金取引において発生したリジェクト返却紙幣を収納するための収納部７０以外の一時的な収納部を確保するものである。具体的には、実施例３では、リジェクト返却紙幣の収納部７０以外の一時的な収納部として、一時保留部４０とは別の一時保留部を使用する。
【０１４０】
図４３は、実施例３の巻き取り式一時保留部を有する紙幣取扱装置の内部構成を示す図
である。図４４は、実施例３の紙幣取扱装置における入金部を利用した直接入金動作の説明図である。図４３の構成では、一時保留部４０の下側に、入金部１２０からの入金取引において発生したリジェクト返却紙幣を収納するための、紙幣巻取り機構を有した第２の一時保留部である一時保留部８０が配置される。
【０１４１】
図４３の構成にすると、図４４に示すように、新たに収納部７０を入金紙幣の受け入れ先の収納部として用いることができる。収納部７０へ紙幣を収納する際は、ゲート５４を搬送路５０ｂと搬送路７０ａが接続するように切替え、紙幣は搬送路５０ａ、５０ｂ、７０ａを通って、収納部７０に搬送される。
【０１４２】
ここで、一時保留部８０は、ステンレスの薄板製の誘導テープ８３と、誘導テープ８３と共に搬送された紙幣を巻き取る回転ドラム８１と、誘導テープ８３のみを巻き取る巻き取り軸８２から構成される。
【０１４３】
なお、一時保留部８０の構成としては、本実施例のような巻取り式ではなく、紙幣を積み重ねて収容し一枚ずつ分離して繰り出すスタック分離式のものでもよいが、リジェクト返却紙幣は皺や折れなどで紙幣の紙の状態が劣化している場合も想定されるため、劣化した紙幣を数多く扱う場合は、スタック分離を行わないテープ巻き取り式の方が有利である。
【０１４４】
図４５は、実施例３の紙幣取扱装置における入金部を利用した直接入金時のリジェクト紙幣収納動作の説明図である。入金部１２０を利用した入金動作時の入金リジェクト紙幣収納動作において、「Ｆ：入金部１２０を利用した紙幣入金動作」で上述した実施例１の入金リジェクト返却紙幣の収納先が、収納部７０から一時保留部８０に置き換わる。振分ゲート５５を、搬送路５０ｂと搬送路８０ａが接続するように切り替え、回転ドラム８１は誘導テープ８３を巻き取る方向（図示時計回り）に、誘導テープ８３の走行速度は紙幣の進入速度とほぼ同一になるよう回転し、入金リジェクト返却紙幣を巻き取る。
【０１４５】
図４６は、実施例３の紙幣取扱装置における入金部を利用した直接入金時のリジェクト紙幣返却動作の説明図である。入金動作後の入金リジェクト紙幣返却動作は、「Ｆ：入金部１２０を利用した紙幣入金動作」で上述した実施例１の紙幣を繰り出す収納部を、収納部７０から一時保留部８０に置き換えて考えればよい。振分ゲート５５を搬送路８０ａと搬送路５０ｂが接続するように切り替えた後、回転ドラム８１を逆転させ（図示反時計回り）、リジェクト返却紙幣を送り出し、搬送路８０ａ、５０ｂ、５０ａ、１０ａ、３０ａ、１０ｄ、１０ｃの順に搬送し、入出金部２０の紙幣集積部２０ｃへ搬送する。識別部３０で受入可能と判別された紙幣は、「Ｆ：入金部１２０を利用した紙幣入金動作」で上述した実施例１と同様の制御により、一時保留部４０に搬送される。
【０１４６】
図４７は、実施例３の紙幣取扱装置における入金部を利用した入金収納処理動作の説明図である。「Ｈ：入出金部を利用した紙幣入金動作」で上述した実施例１の入金収納動作において、受入可能な紙幣は、その収納先として新たに収納部７０を選択することが可能となる。収納部７０に紙幣を収納する際は、ゲート５４を搬送路５０ｂと搬送路７０ａが接続するように切替え、紙幣は搬送路５０ａ、５０ｂ、７０ａを通って、収納部７０に搬送される。
【０１４７】
以上の実施例１〜３によれば、大量の紙幣を迅速に入金処理したいといった利用者のニーズに合わせた入金が実現でき、同時に、入金所要時間の短縮も実現することができる。
【０１４８】
なお本発明は上述の実施例に限定されるものではなく、様々な変形例を含む。例えば、上述の実施例は本発明を分かりやすく説明するために詳細に説明したものであり、必ずしも説明した全ての構成を備えるものに限定されない。また矛盾しない限りにおいて、ある実施例の構成の一部を他の実施例の構成で置き換えたり、ある実施例の構成に他の実施例の構成を加えたりすることも可能である。また各実施例の構成の一部について、追加、削除、置換、統合、及び分割をすることが可能である。また実施例で示した各処理は、処理効率又は実装効率に基づいて適宜分散又は統合してもよい。
【符号の説明】
【０１４９】
１，１Ｂ，１Ｃ…紙幣取扱装置、１Ｓ…現金自動取引システム、１０ａ，１０ｂ，１０ｃ,１０ｄ，１０ｄ，１０ｅ，１０ｆ，１０ｇ，１０ｈ，３０ａ，４０ａ，５０ａ，５０ｂ，７０ａ，７０ｂ，７１ａ，７２ａ，７３ａ，７４ａ，７４ｂ，７４ｃ，８０ａ…搬送路、１０ｉ…副搬送路、２０…入出金部、２０ａ…シャッタ、３０…識別部、４０，８０…一時保留部、７０，７１，７２，７３，７４…収納部、７４−１…下段収納部、７４−２…上段収納部路、１０１…現金自動取引装置、１０４…画面操作部、１０４ａ…表示画面、１２０…入金部、１２０ａ…シャッタ、１７０…制御部、１７５，１７５−ａ…検知センサ、１０００…金庫、１２０５…勤務管理装置、１２０６…受付端末、１２０７…記憶装置
【図１】
2020035403.tif 000003
【図２】
2020035403.tif 000004
【図３】
2020035403.tif 000005
【図４】
2020035403.tif 000006
【図５】
2020035403.tif 000007
【図６】
2020035403.tif 000008
【図７】
2020035403.tif 000009
【図８】
2020035403.tif 000010
【図９】
2020035403.tif 000011
【図１０】
2020035403.tif 000012
【図１１】
2020035403.tif 000013
【図１２】
2020035403.tif 000014
【図１３】
2020035403.tif 000015
【図１４】
2020035403.tif 000016
【図１５】
2020035403.tif 000017
【図１６】
2020035403.tif 000018
【図１７】
2020035403.tif 000019
【図１８】
2020035403.tif 000020
【図１９】
2020035403.tif 000021
【図２０】
2020035403.tif 000022
【図２１】
2020035403.tif 000023
【図２２】
2020035403.tif 000024
【図２３】
2020035403.tif 000025
【図２４】
2020035403.tif 000026
【図２５】
2020035403.tif 000027
【図２６】
2020035403.tif 000028
【図２７】
2020035403.tif 000029
【図２８】
2020035403.tif 000030
【図２９】
2020035403.tif 000031
【図３０】
2020035403.tif 000032
【図３１】
2020035403.tif 000033
【図３２】
2020035403.tif 000034
【図３３】
2020035403.tif 000035
【図３４】
2020035403.tif 000036
【図３５】
2020035403.tif 000037
【図３６】
2020035403.tif 000038
【図３７】
2020035403.tif 000039
【図３８】
2020035403.tif 000040
【図３９】
2020035403.tif 000041
【図４０】
2020035403.tif 000042
【図４１】
2020035403.tif 000043
【図４２】
2020035403.tif 000044
【図４３】
2020035403.tif 000045
【図４４】
2020035403.tif 000046
【図４５】
2020035403.tif 000047
【図４６】
2020035403.tif 000048
【図４７】
2020035403.tif 000049